(57)【要約】【課題】コーティング処理された金属製ファンガードにおいて、ファンガード固定ネジによるコーティングの疵付きを防止し、錆を防ぐことを可能にした空気調和機の室外機を提供する。【解決手段】複数本の金属製線状体が縦横に配置されて縦柵及び横柵を形成し、その表面が樹脂材でコーティング処理され、前面パネル１０３に形成された吹き出し口１０３ａを覆うファンガード１０４と、ファンガード１０４の縦柵又は横柵の何れか又は双方の金属製線状体を延長して曲げて形成されたネジ取付け部２００と、ネジ取付け部２００の外径より大きな外径の樹脂製のワッシャー２０２と、ネジ２０３とを備え、ネジ２０３をワッシャー２０２及びネジ取付け部２００を通して前面パネル１０３に取り付けることにより、ファンガード１０４を前面パネル１０３に固着する。【選択図】図５
2010101592.tif 000002
【特許請求の範囲】
【請求項１】
複数本の金属製線状体が縦横に配置されて縦柵及び横柵を形成し、その表面が樹脂材でコーティング処理され、前面パネルに形成された吹き出し口を覆うファンガードと、
前記ファンガードの縦柵又は横柵の何れか又は双方の金属製線状体を延長して曲げて形成されたネジ取付け部と、
前記ネジ取付け部の外径より大きな外径の樹脂製のワッシャーと、
ネジと
を備え、
前記ネジを前記ワッシャー及び前記ネジ取付け部を通して前面パネルに取り付けることにより、前記ファンガードを前記前面パネルに固着することを特徴とする空気調和機の室外機。
【請求項２】
前記ネジと前記ワッシャーとは一体化されていることを特徴とする請求項１記載の空気調和機の室外機。
【請求項３】
複数本の金属製線状体が縦横に配置されて縦柵及び横柵を形成し、その表面が樹脂材でコーティング処理され、前面パネルに形成された吹き出し口を覆うファンガードと、
前記ファンガードの縦柵又は横柵の何れか又は双方の金属製線状体を延長して曲げて形成されたネジ取付け部と、
座面が金属製線状体の半径と同等又はそれよりも大きな半径を有する曲面形状を有し、頭部の外径が前記ネジ取付け部の外径より大きい固定ネジと
を備え、
前記固定ネジを前記ネジ取付け部を通して前面パネルに取り付けることにより、前記ファンガードを前記前面パネルに固着することを特徴とする空気調和機の室外機。
【請求項４】
前記金属製線状体は、鉄線ワイヤーから構成されていることを特徴とする請求項１〜３の何れかに記載の空気調和機の室外機。
【発明の詳細な説明】
【技術分野】
【０００１】
この発明は、空気調和機の室外機に関し、特に、室外機の前面パネルに形成された吹き出し口を覆うように取り付けられ、異物の侵入を防止するファンガードの固定構造に関するものである。
【背景技術】
【０００２】
室外機への付け火が以前から問題視されているが、その付け火対策としてファンガードを樹脂製から金属製へ移行することが進められている。金属製のファンガードの場合には通常ネジにより固定されている（例えば特許文献１参照）。
【０００３】
【特許文献１】実開平０３−５７３２７号公報（第１図）
【発明の開示】
【発明が解決しようとする課題】
【０００４】
室外機のファンガードが金属部材のままで作成されると、風雨により錆びてしまうため防錆コーティングが必要である。しかし、通常使用される座が平面のネジを使用すると、ネジを締める際に、ネジのエッジ部によりファンガードのコーティング皮膜に疵がつきそこから錆びてしまう。ファンガードが錆びてしまうと強度が低下し、錆びた部分で折れ、異物の侵入が防止できなくなってしまう。また室外機の外観も損なわれてしまう。
【０００５】
この発明は、上記の課題を解決するためになされたものであり、コーティング処理された金属製ファンガードにおいて、固定ネジによるコーティングの疵付きを防止し、錆を防ぐことを可能にした空気調和機の室外機を提供することを目的とする。
【課題を解決するための手段】
【０００６】
この発明に係る空気調和機の室外機は、複数本の金属製線状体が縦横に配置されて縦柵及び横柵を形成し、その表面が樹脂材でコーティング処理され、前面パネルに形成された吹き出し口を覆うファンガードと、前記ファンガードの縦柵又は横柵の何れか又は双方の金属製線状体を延長して曲げて形成されたネジ取付け部と、前記ネジ取付け部の外径より大きな外径の樹脂製のワッシャーと、ネジとを備え、前記ネジを前記ワッシャー及び前記ネジ取付け部を通して前面パネルに取り付けることにより、前記ファンガードを前記前面パネルに固着するものである。
【発明の効果】
【０００７】
この発明によれば、ファンガードの縦柵又は横柵の何れか又は双方の金属製線状体を延長して曲げて形成されたネジ取付け部と、ネジ取付け部の外径より大きな外径の樹脂製ワッシャーと、ネジとを備え、ネジをワッシャー及びネジ取付け部を通して前面パネルに取り付けることによりファンガードを前面パネルに固着するようにしたので、ファンガード固定時にコーティングに疵が付くことが防止され、長期に渡ってファンガードの確実な固定を維持することができる。
【発明を実施するための最良の形態】
【０００８】
以下、添付図面を参照して本発明の実施の形態を詳細に説明する。
実施の形態１．
図１は、この発明の実施の形態１に係る空気調和機の室外機の分解斜視図である。
この室外機の外観構成は、全体の土台となる底板１０１、底板１０１に固定された足１０２、前面パネル１０３、ファンガード１０４、ファンガード固定ネジ１０５、プロペラファン１０６、ファンモーター１０７、ファンモーター固定板１０８、天面パネル１０９、背面パネル１１０、室外熱交換器１１１、及び配線接続部カバー１１２から構成されている。上記の底板１０１、足１０２、前面パネル１０３、天面パネル１０９、背面パネル１１０、ファンガード１０４及びファンモーター固定板１０８の材質は鋼材である。ファンガード１０４は、前面パネル１０３に形成された吹き出し口１０３ａを覆うようにして取り付けられ、外部から異物が侵入するのを防止している。
【０００９】
図２（ａ）（ｂ）は、ファンガード１０４の側面図及び正面図である。
ファンガード１０４は、鉄線ワイヤーを縦横に配置し、それらを溶接し構成されており、図示のように、縦柵１０４ａ及び横柵１０４ｂがそれぞれ形成されている。そして、ファンガード１０４の四隅に前面パネル１０３に固定するためのネジ取付け部２００が形成されている。また、ファンガード１０４を構成する金属製洗浄線状体の表面には錆を防止するため例えば樹脂材を溶着した膜厚０．４ｍｍのコーティングが施されている。
【００１０】
図３は、ネジ取付け部２００の拡大図である。
このネジ取付け部２００は、横柵１０４ｂを構成する金属製洗浄線状体の端部を延長して曲げて形成されたものである。ネジ取付け部２００は、円形に折り曲げられた形状が示されているが、ネジが取り付けられる形状であれば、半円、角形等他の形状であってもよい。また、このネジ取付け部２００は、横柵１０４ｂを構成する金属製線状体の端部を延長して曲げて形成しているが、縦柵１０４ａを構成する金属製線状体、或いは、縦柵１０４ａ及び横柵１０４ｂを構成する金属製線状体によってそれぞれ形成するようにしてもよい。
【００１１】
図４（ａ）（ｂ）は、上記のネジ取付け部２００の近傍に設けられた仮固定部２０１の正面図及び側面図である。
この仮固定部２０１は、組立て時、ファンガード１０４から手を離してネジを打てるように縦柵１０４ａ又は横柵１０４ｂのいずれかの金属製線状体の端部を延長して前面パネル１０３に設けられた穴に差し込むことで仮固定をするようにしたものである（但し、図示の例は縦柵１０４ａの金属製線状体により形成されている）。この仮固定部２０１は、ファンガード１０４を１８０°反転させても取付け可能となるように対角線上に少なくとも二ヶ所に設けられる。
【００１２】
図５は、ファンガード１０４の固定ネジ１０５として、ＰＣ又はそれと同等の硬度を有する樹脂製のワッシャー２０２とネジ２０３を使用した場合のネジ固定部の断面図である。
ワッシャー２０２は、図示のようにネジ取付け部２００よりも大きな外径を有しており、また、固定ネジ１０５から抜け落ちないようにネジ２０３と一体化されて構成されている。
ワッシャー２０２及びネジ２０３は、上記のように構成されており、組立ての際にして、ワッシャー２０２が柔らかい部材から構成されているため、ネジ２０３を締め付ける際には、ネジ取付け部２００の金属製線状体のコーティングを疵つけることはない。また、ワッシャー２０２がネジ２０３から抜け落ちないように構成されているので、ライン作業の取付け作業時がし易いものとなっている。
【００１３】
以上のように本実施の形態によれば、ファンガード１０４の縦柵１０４ａ又は横柵１０４ｂの何れか又は双方の金属製線状体を延長して曲げて形成されたネジ取付け部２００と、ネジ取付け部２００の外径より大きな外径の樹脂製のワッシャー２０２と、ネジ２０３とを備え、ネジ２０３をワッシャー２０２及びネジ取付け部２００を通して前面パネル１０３に取り付けることによりファンガード１０４を前面パネル１０３に固着するようにしており、ファンガード固定時に金属製線状体のコーティングに疵が付くことが防止され、錆の発生を防ぐことができ、長期に亘ってファンガードの確実な固定を維持することができる。
また、ワッシャー２０２が固定ネジ１０５から抜け落ちないように構成されているので、ライン作業の取付け作業時がし易いものとなっている。
【００１４】
実施の形態２．
次に、上記の実施の形態１のワッシャー２０２にネジ２０３からなる固定ネジ１０５に代わる固定ネジの例を実施の形態２として説明する。
【００１５】
図６は、ファンガード１０４のネジ固定部の断面図である。ここで用いられている固定ネジ１０５は、その座面１０５ａがファンガード１０４のネジ取付け部２００の金属製線状体の半径と同等またはそれより大きな半径を有する曲面形状を持つとともに、頭部の外径がネジ取付け部２００の外径よりも大きなものとなっている。
ここで、ネジ取付け部２００の金属製線状体の半径Ｒ１．２５＋コーティング膜０．４に対し、固定ネジ１０５の座面１０５ａの曲面形状は例えばＲ２．３である。固定ネジ１０５の材料は例えば炭素鋼が用いられる。
【００１６】
以上のように本実施の形態２によれば、ファンガード１０４のネジ取付け部金属製線状体の半径と同等またはそれよりも大きな半径を有する曲面形状を持つ固定ネジ１０５でその曲面により金属製線状体と接触し、固定ネジ１０５のエッジ部との接触を避けてファンガード１０４を固定するようにしたことにより、コーティングの疵付きを防止することができ、錆の発生を防ぐことができ、長期に亘ってファンガードの確実な固定を維持することができる。
【００１７】
また、通常、前面パネル１０３をリサイクルにまわす場合には、ファンガード１０４を外さずそのまま塗装材、コーティング材を焼却し、残った鋼材がリサイクルされるが、前記した樹脂製のワッシャー２０２を使用する場合には、このワッシャー２０２は塗装材、コーティング材の焼却時に一緒に燃えてしまいリサイクル不可能となるが、図６のような曲面形状を持つ固定ネジ１０５を使用した場合には、鋼材単一素材であるためユニットとしてリサイクル率が向上する。
【図面の簡単な説明】
【００１８】
【図１】この発明の実施の形態１における室外機外観の構成を示した斜視図である。
【図２】ファンガードの全体図である。
【図３】ファンガードのネジ取付け部の詳細図である。
【図４】ファンガードの仮固定部の詳細図である。
【図５】ファンガードのネジ固定部の断面図である。
【図６】この発明の実施の形態２におけるファンガードネジ固定部の断面図である。
【符号の説明】
【００１９】
１０１  室外機の底板、１０２  室外機の足、１０３  前面パネル、１０４  ファンガード、１０５  固定ネジ、１０６  プロペラファン、１０７  ファンモーター、１０８  ファンモーター固定板、１０９  天面パネル、１１０  背面パネル、１１１  室外熱交換器、１１２  配線接続部カバー、２００  ネジ取付け部、２０１  仮固定部、２０２  ワッシャー、２０３  ネジ。
【図１】
2010101592.tif 000003
【図２】
2010101592.tif 000004
【図３】
2010101592.tif 000005
【図４】
2010101592.tif 000006
【図５】
2010101592.tif 000007
【図６】
2010101592.tif 000008